(57)【特許請求の範囲】
【請求項１】
筒状で、軸心方向ならびにこれに直角な方向に沿って上端部を一部切り欠いた切欠部を有する合成樹脂製のヘッド本体と、平面視円弧状の前面部に散水口を有し、後面側に、天面部、底面部および左右の側面部によって形成される開口を有するとともに、前記底面部に、ヘッド本体内に形成された通水流路に連通する下方開口とこれの下流側に位置して前記下方開口に連通する連通孔とが形成され、更に、前記天面部にキャップ係止用のねじ部を、前記下方開口のまわりに第１のＯリングをそれぞれ有し、前記底面部が前記第１のＯリングを介して前記ヘッド本体の内周面に位置するよう前記軸心方向に沿って前記切欠部に着脱自在に装着される合成樹脂製のシャワ板と、このシャワ板の前記後面開口を覆うように第２のＯリングを介して前記シャワ板に着脱自在に装着され前記シャワ板とで前記連通孔と前記散水口を連通させる吐水流路を水密状態に形成する合成樹脂製の蓋板と、使用時に、前記吐水流路を介して前記切欠部に装着された前記シャワ板および蓋板にかかる水圧によって前記シャワ板および蓋板が前記ヘッド本体から外れるのを防止する外れ防止機構とを備え、更に、この外れ防止機構が、少なくとも、前記ヘッド本体の前記上端部に残された筒部分に形成されたねじ挿通孔、前記蓋板に形成されたねじ孔、これらねじ挿通孔およびねじ孔に挿通されるねじよりなる第１防止手段と、前記キャップ係止用のねじ、これに螺合して前記シャワ板、蓋板および前記筒部分の各天面側を覆い隠すよう前記上端部に位置するキャップよりなる第２防止手段とで構成されることを特徴とするシャワヘッド。
【発明の詳細な説明】
【０００１】
【発明の属する技術分野】
この発明は、シャワヘッドに関する。
【０００２】
【従来の技術】
図１０に示すように、合成樹脂製のシャワヘッド９０として、直方体形状をした薄板のものがある。これは前面に正面視長方形の縦長の開口９４が形成された上ヘッド部９１と、下ヘッド部９２とが接着により合体されているとともに、シール用の平パッキン９５を介して前記開口９４を覆うように複数個の散水口９３ａが形成されたシャワ板９３を上ヘッド部９１に取り付けて構成されている。
【０００３】
【発明が解決しようとする課題】
しかし、ビスねじ込み方式を採用して平パッキン９５をシャワ板９３で押さえているので、以下の問題があった。
【０００４】
（１）斬新な形状を採用しているにもかかわらず、ビス９６の固定位置がシャワ板９３の四隅にありシャワ板前面部に４個のビス頭９６ａが露出して外見が悪い。
（２）Ｏリングよりも高価な平パッキン９５を使用している。
（３）シャワ板９３の裏側の清掃のたびに行われるビス９６の取り外し作業が面倒である。
（４）清掃のたびにビス９６を取り外すから、シャワ板９３および上ヘッド部９１にそれぞれ形成されたビス孔に緩みが生じ、シャワ板９３を上ヘッド部９１に確実に取り付けるのが難しくなったり、平パッキン９５の押さえに支障をきたし、シール性が悪くなる。
【０００５】
この発明は上述の事柄に留意してなされたもので、その目的は、シール性を維持しながらシャワ板の清掃作業を容易にできるとともに、見栄えのするシャワヘッドを提供することである。
【０００６】
【課題を解決するための手段】
上記目的を達成するために、この発明のシャワヘッドは、筒状で、軸心方向ならびにこれに直角な方向に沿って上端部を一部切り欠いた切欠部を有する合成樹脂製のヘッド本体と、平面視円弧状の前面部に散水口を有し、後面側に、天面部、底面部および左右の側面部によって形成される開口を有するとともに、前記底面部に、ヘッド本体内に形成された通水流路に連通する下方開口とこれの下流側に位置して前記下方開口に連通する連通孔とが形成され、更に、前記天面部にキャップ係止用のねじ部を、前記下方開口のまわりに第１のＯリングをそれぞれ有し、前記底面部が前記第１のＯリングを介して前記ヘッド本体の内周面に位置するよう前記軸心方向に沿って前記切欠部に着脱自在に装着される合成樹脂製のシャワ板と、このシャワ板の前記後面開口を覆うように第２のＯリングを介して前記シャワ板に着脱自在に装着され前記シャワ板とで前記連通孔と前記散水口を連通させる吐水流路を水密状態に形成する合成樹脂製の蓋板と、使用時に、前記吐水流路を介して前記切欠部に装着された前記シャワ板および蓋板にかかる水圧によって前記シャワ板および蓋板が前記ヘッド本体から外れるのを防止する外れ防止機構とを備え、更に、この外れ防止機構が、少なくとも、前記ヘッド本体の前記上端部に残された筒部分に形成されたねじ挿通孔、前記蓋板に形成されたねじ孔、これらねじ挿通孔およびねじ孔に挿通されるねじよりなる第１防止手段と、前記キャップ係止用のねじ、これに螺合して前記シャワ板、蓋板および前記筒部分の各天面側を覆い隠すよう前記上端部に位置するキャップよりなる第２防止手段とで構成されている。
【０００７】
【発明の実施の形態】
以下、この発明の実施形態を、図を参照しながら説明する。
【０００８】
図１〜図９は、この発明の一実施形態を示す。
図１〜図９において、１はシャワヘッドで、シャワヘッドホルダ２に保持されるアダプタ部分３に対して手前側に所定角度αだけ傾斜するように構成されている。このアダプタ部分３は、上流端が湯水混合栓本体４のシャワ用湯水取り出し口に接続されたシャワホース５の下流端に設けられている。前記シャワ用湯水取り出し口は、湯水混合栓本体４の例えば背面側に形成されている。
【０００９】
（１）まず最初に、ヘッド本体について説明する。
６は、合成樹脂よりなる筒状のヘッド本体である。このヘッド本体６の上端部には切欠き部７が形成されている。この切欠き部７は、前記上端部をヘッド本体６の軸心方向ならびにこれに直角な方向（ヘッド本体６の厚み方向）に沿って一部切欠いたものである。すなわち、ヘッド本体６は、前記上端部に残された上筒部分８と、この上筒部分８に連設する下筒部分９とより主としてなる。この下筒部分９内には通水孔９ａによって通水流路が形成されている。そして、下筒部分９の最上流端には、シャワホース５の前記アダプタ部分３に接続するエルボ１１が形成されており、これにより、シャワヘッドホルダ２に保持された状態のシャワヘッド１がアダプタ部分３に対して手前側に所定角度αだけ傾斜可能になっている。
【００１０】
更に、前記上筒部分８は外周面部８ａと内周面部８ｂで構成されており、外周面部８ａの円周角θは、１８０°前後が好ましく、１８０°がより好ましい。また、内周面部８ｂは、外周面部８ａよりも小さな円周角θ’を有するとともに、外周面部８ａの上面ｑよりも高さがｄだけ突出している上面ｑ’を備えた突出片１２を有する。この突出片１２は、中央にねじ挿通孔１２ａを有する。この挿通孔１２ａの径は、後述するタッピンねじのねじ頭が嵌挿可能な大きさを有する。
【００１１】
また、前記上端部に残された上筒部分８は、後述するシャワ板１３を前記切欠部７へ装着したり取り外したりする際にガイドとして機能するガイド機構を備えている。このガイド機構について説明する。
【００１２】
すなわち、図６〜図８において、７ａは、下筒部分９の上端面部で、シャワ板１３装着時にストッパーとしての機能を担うものである。７ｂ，７ｂは、上筒部分８の軸心方向に沿った案内面部で、シャワ板１３を軸心方向に沿った方向に案内する機能を有し、ヘッド本体６の軸心Ｚに対して左右対称位置に形成されている。
【００１３】
前記案内面部７ｂは、内方向に尖った山形形状の第１嵌挿面ｍ、下ガイド面ｎおよび両面ｍ，ｎ部間に形成される溝状の第２嵌挿面ｋを有する。ここで、Ｌは、第１嵌挿面ｍの中央で軸心方向に沿って形成された稜線である。そして、第１嵌挿面ｍと第２嵌挿面ｋは外周面部８ａにおいてヘッド本体６の軸心Ｚに対して左右対称に位置するものであり、一方、下ガイド面ｎは内周面部８ｂにおいてヘッド本体６の軸心Ｚに対して左右対称に位置するものである。そして、両案内面部７ｂ，７ｂは、後述する合成樹脂製のシャワ板１３を案内するガイド面部を構成している。
【００１４】
また、１０は、下筒部分９の上面に形成された凹み１０で、軸心方向に沿って略全長にわたり形成されている。この凹み１０を延長させると前記切欠き部７に至る。この凹み１０は、ヘッド本体６を持ち易くするためのものである。
【００１５】
（２）次に、シャワ板について説明する。
１３は、合成樹脂製のシャワ板である。このシャワ板１３は、図６に示すように、前面部１４と、天面部１６と、底面部１７と、前面部１４の左右に位置する側面部１８，１８とより主としてなる。
【００１６】
更に、前記前面部１４は平面視円弧状で、多数個の散水口１５を有する。
【００１７】
前記底面部１７は、下筒部分９内の通水流路に連通する下方開口１３ａを有する。また、底面部１７は、下方開口１３ａの下流側に前記下方開口３ａに連通する連通孔２０を有する。
【００１８】
また、シャワ板１３は、後面側に、天面部１６と、底面部１７と、両側面部１８，１８によって形成される後面開口１９を有する。すなわち、この後面開口１９は縦長の矩形の外枠部分１９ａと、この外枠部分１９ａから前記前面部１４側へ凹んで位置する前記外枠部分１９ａよりも小さな矩形形状を有する内枠部分１９とによって形成されている（図４参照）。なお、図４は図２におけるｂ−ｂ’線の方向から見た図である。前記後面開口１９に後述する第２のＯリング付きの蓋板が第２のＯリングを介して嵌め込まれる。つまり、図４に示すように、蓋板の嵌め込め時においては、前記第２のＯリングが前記外枠部分１９ａを乗り越えて、これよりも小さな矩形形状を有する内枠部分１９ｂの内面に密着嵌合する。
【００１９】
前記天面部１６は、平面視円弧状にカールしている前記前面部１４の前面と面一ではなく前記前面部１４よりも上向き前方に傾斜している上傾斜面ｆ1 および平面視円弧状の平坦な天面ｇを備えた突出部分１６ａを天面部１６の前面側に有する。更に、突出部分１６ａは、天面ｇに円弧片３０を有する。そして、前記切欠部７に装着されているシャワ板１３の取り外し動作を、親指を前記上傾斜面ｆ1 に当てながらこれを上向きに押さえ込むことにより、容易かつスムーズに行える。
【００２０】
一方、前記底面部１７は、前記前面部１４の前面と面一ではなく前記前面部１４よりも下向き前方に傾斜している下傾斜面ｆ2 および平面視円弧状の平坦な底面ｈを備えた突出部分１７ａを前面側に有する。そして、シャワ板１３の前記切欠部７への装着動作を、親指を前記下傾斜面ｆ2 に当てながらこれを下向きに押さえ込むことにより行えるとともに、更に、前記下傾斜面ｆ2 による装着動作の途中で前記円弧片３０を下方へ押圧することにより、容易かつスムーズに行える。
【００２１】
２１は、後述するキャップを係止するためのねじ部で、天面部１６の後面側に設けた直方体形の当接片２２の上面に、当接片２２の背面２２ａから後方へ一部が出っ張った状態で設けられている。
【００２２】
２３は、第１のＯリングで、前記下方開口１３ａのまわりに位置する。そして、前記下方開口１３ａを含む前記底面部１７が第１のＯリング２３を介して前記下筒部分９の内周面ｒに位置するよう（図５、図２参照）、シャワ板１３が、図７に矢印Ａで示す軸心方向に沿って前記切欠部７に着脱自在に装着される。なお、図５は図２におけるａ−ａ’線の方向から見た図である。
【００２３】
３１，３１は、シャワ板１３が切欠部７へ嵌め込まれるときに、前記案内面部７ｂ，７ｂに摺接する被案内面部である。すなわち、図４、図６、図８において、被案内面部３１は、シャワ板１３の嵌め込み時において、前記案内面部７ｂの第１嵌挿面ｍに密着する谷形形状の第３嵌挿面ｍ’と、溝状の前記第２嵌挿面ｋに密着する第４嵌挿面ｋ’とを有する。被案内面部３１は、シャワ板１３の側面部１８の外面に形成されている。
【００２４】
（３）次に、蓋板について説明する。
４０は、合成樹脂製の蓋板である。この蓋板４０は、図８に示すように、前面側に後面開口１９を覆う蓋部４１と、後面側に上筒部分８の内周面ｔに密着可能な形状を有する密着部４２と、両者４１，４２を繋ぐ繋ぎ部４３とより主として構成される。
【００２５】
更に、前記蓋部４１は、シャワ板１３への装着時において、シャワ板１３の前記内枠部分１９（図４参照）に嵌め込まれる前蓋部分４４と、シャワ板１３の前記外枠部分１９ａに嵌め込まれる前蓋部分４５と、両者４４，４５間に介装される第２のＯリング４６とよりなる。
【００２６】
そして、図４に示すように、蓋板４０の後面開口１９への嵌め込め時においては、前記第２のＯリング４６が前記外枠部分１９ａを乗り越えて、前記内枠部分１９ｂの内面に密着嵌合する。これにより、シャワ板１３とで前記連通孔２０と前記散水口１５を連通させる吐水流路ｉ（図７参照）を水密状態に形成できる。
【００２７】
一方、前記密着部４２は、縦長の棒状で、その長さＪは、上筒部分８の軸心方向における長さＰに略等しい。そして、密着部４２の上筒部分８の内周面ｔとの密着面Ｔは前記内周面ｔと同形状に形成されている。これにより、使用時に、前記吐水流路ｉを介して前記切欠部７に装着された前記シャワ板１３および蓋板４０にかかる水圧によって前記シャワ板１３から蓋板４０が外れるのを防止できる。
【００２８】
また、４７は、タッピンねじ４８のねじ孔で、上筒部分８に設けたねじ挿通孔１２ａを通ったタッピンねじ４８に螺着する。
【００２９】
（４）次に、外れ防止機構について説明する。
５０は、合成樹脂製の、ねじｙ付きキャップである。このねじｙとシャワ板１３に設けた前記ねじ部２１の螺合によりシャワ板１３、蓋板４０および上筒部分８の各天面側を覆い隠す。
【００３０】
図７において、シャワ板１３、蓋板４０およびキャップ５０をヘッド本体６の切欠き部７に取り付けるには、まず、シャワ板１３に蓋板４０を嵌め込む。続いて、蓋板４０付きのシャワ板１３を、ヘッド本体６の案内面部７ｂ，７ｂにシャワ板１３の被案内面部３１，３１（図６参照）を摺接させながらヘッド本体６内に押し込む。この時、シャワ板１３の底面部１７の突出部分１７ａの前記平坦な底面ｈが、ヘッド本体６の下筒部分９の前記上端面部７ａに当接するまでシャワ板１３を押し込む（図１参照）。このように操作することにより、上筒部分８の突出片１２に設けたねじ挿通孔１２ａと蓋板４０の密着部４２に形成したねじ孔４７が、上筒部分８の内周面ｔと密着面Ｔとが確実に密着した状態で、整合する。続いて、タッピンねじ４８をねじ挿通孔１２ａに通し、工具でねじ孔４７にねじ込み、更に、タッピンねじ４８の先端部４８ａが、図３に示すように、シャワ板１３に設けた当接片２２の背面２２ａに当接した時点でねじ込み動作を終了する。すなわち、タッピンねじ４８の先端部４８ａが当接片２２の背面２２ａに当接した時点でタッピンねじ４８のねじ首４８ｂがねじ挿通孔１２ａ内に位置するように構成されている。よって、続くキャップ５０の被覆作業においてキャップ５０がタッピンねじ４８に引っ掛かったりするのを防止できる。
【００３１】
このようにタッピンねじ４８が、ねじ挿通孔１２ａを介してヘッド本体６に支持されるので、使用時に、前記吐水流路ｉを介して前記切欠部７に装着された前記シャワ板１３および蓋板４０にかかる水圧によって前記シャワ板１３および蓋板４０が前記ヘッド本体６から外れるのを防止できる。
【００３２】
仮に、清掃のたびにタッピンねじ４８を前記ねじ孔４７から取り外すから、合成樹脂で形成されている前記ねじ孔４７に緩みが生じても、キャップ５０がシャワ板１３、蓋板４０および上筒部分８の各天面側を覆い隠しているので、前記シャワ板１３および蓋板４０が前記ヘッド本体６から外れるのを防止できる。
【００３３】
【発明の効果】
以上説明したようにこの発明によれば、シール性を維持しながらシャワ板の清掃作業を容易にできるとともに、見栄えのするシャワヘッドを提供できる効果がある。
【図面の簡単な説明】
【図１】この発明の一実施形態を示す正面図である。
【図２】上記実施形態を示す全体構成説明図である。
【図３】図２におけるｃ−ｃ’線断面図である。
【図４】図２におけるａ−ａ’線断面図である。
【図５】図２におけるｂ−ｂ’線断面図である。
【図６】上記実施形態における要部分解斜視図である。
【図７】上記実施形態における取り付け動作の全体を説明するための図である。
【図８】上記実施形態における取り付け動作の一部を説明するための図である。
【図９】上記実施形態の使用例を示す斜視図である。
【図１０】従来例を示す構成説明図である。
【符号の説明】
６…ヘッド本体、７…切欠き部、１２ａ…ねじ挿通孔、１３…シャワ板、１３ａ…下方開口、１５…散水口、１９…後面開口、２１…ねじ部、２３…第１のＯリング、４０…蓋板、４６…第２のＯリング、４７…ねじ孔、４８…タッピンねじ、５０…キャップ。
【図１】
0004139043.tif 000002
【図２】
0004139043.tif 000003
【図３】
0004139043.tif 000004
【図４】
0004139043.tif 000005
【図５】
0004139043.tif 000006
【図６】
0004139043.tif 000007
【図７】
0004139043.tif 000008
【図８】
0004139043.tif 000009
【図９】
0004139043.tif 000010
【図１０】
0004139043.tif 000011